(57)【要約】【課題】本発明は、省電力モードの設定が可能な複数の印刷装置がネットワークを介して接続された印刷システムに関し、特に複数の印刷装置がネットワークを介して接続されている場合、少なくとも１台の印刷装置には電源が入っている状態に設定する印刷システムを提供するものである。【解決手段】第１の印刷装置と第２の印刷装置がネットワークを介して接続された印刷システムであって、上記第１の印刷装置は、第１の印刷装置のアドレス情報と電源オフ設定時刻の情報を含む電源オフ確認要求を前記第２の印刷装置に送信する送信手段と、上記第２の印刷装置からの電源オフ受諾応答の受信に基づいて、装置の電源をオフする電源オフ処理手段とを有し、上記第２の印刷装置は、上記電源オフ確認要求が入力すると、上記電源オフ設定時刻と自己の電源オフ設定時刻を比較して、自己の電源オフ設定時刻が遅い場合、上記第１の印刷装置に対して上記電源オフ受諾応答を送信する制御手段を有することを特徴とする。【選択図】  図１
2011025428.tif 000002
【特許請求の範囲】
【請求項１】
第１の印刷装置と第２の印刷装置がネットワークを介して接続された印刷システムにおいて、
前記第１の印刷装置は、
該第１の印刷装置のアドレス情報と電源オフ設定時刻の情報を含む電源オフ確認要求を前記第２の印刷装置に送信する送信手段と、
前記第２の印刷装置からの電源オフ受諾応答の受信に基づいて、装置の電源をオフする電源オフ処理手段と、を有し、
前記第２の印刷装置は、
前記電源オフ確認要求が入力すると、前記電源オフ設定時刻と自己の電源オフ設定時刻を比較して、自己の電源オフ設定時刻が遅い場合、前記第１の印刷装置に対して前記電源オフ受諾応答を送信する制御手段を有する、
ことを特徴とする印刷システム。
【請求項２】
前記第１の印刷装置の電源オフ確認要求には、更に最新印刷時刻の情報も含まれ、前記第２の印刷装置は自己の前記電源オフ設定時刻と前記第１の印刷装置の電源オフ設定時刻が同じである場合、自己の最新印刷時刻と前記第１の印刷装置から送信された最新印刷時刻を比較し、自己の最新印刷時刻の方が遅い場合、前記第１の印刷装置に対して前記電源オフ受諾応答を送信することを特徴とする請求項１に記載の印刷システム。
【請求項３】
前記第１の印刷装置の電源オフ確認要求には、更に電源オン時刻の情報も含まれ、前記第２の印刷装置は自己の前記最新印刷時刻と前記第１の印刷装置の最新印刷時刻が同じである場合、自己の電源オン時刻と前記第１の印刷装置から送信された電源オン時刻を比較し、自己の電源オン時刻の方が遅い場合、前記第１の印刷装置に対して前記電源オフ受諾応答を送信することを特徴とする請求項２に記載の印刷システム。
【請求項４】
第１から第ｎの印刷装置がネットワークを介して接続された印刷システムにおいて、
前記第１の印刷装置は、
該第１の印刷装置のアドレス情報と電源オフ設定時刻の情報を含む電源オフ確認要求を前記第２から第ｎの印刷装置に送信する送信手段と、
前記第２から第ｎの印刷装置からの電源オフ受諾応答の受信に基づいて、装置の電源をオフする電源オフ処理手段と、を有し、
前記第２から第ｎの印刷装置は、
前記電源オフ確認要求が入力すると、前記電源オフ設定時刻と自己の電源オフ設定時刻を比較して、自己の電源オフ設定時刻が遅い場合、前記第１の印刷装置に対して前記電源オフ受諾応答を送信する制御手段を有する、
ことを特徴とする印刷システム。
【請求項５】
前記第１の印刷装置の電源オフ確認要求には、更に最新印刷時刻の情報も含まれ、前記第２から第ｎの印刷装置は自己の前記電源オフ設定時刻と前記第１の印刷装置の電源オフ設定時刻が同じである場合、自己の最新印刷時刻と前記第１の印刷装置から送信された最新印刷時刻を比較し、自己の最新印刷時刻の方が遅い場合、前記第１の印刷装置に対して前記電源オフ受諾応答を送信することを特徴とする請求項４に記載の印刷システム。
【請求項６】
前記第１の印刷装置の電源オフ確認要求には、更に電源オン時刻の情報も含まれ、前記第２から第ｎの印刷装置は自己の前記最新印刷時刻と前記第１の印刷装置の最新印刷時刻が同じである場合、自己の電源オン時刻と前記第１の印刷装置から送信された電源オン時刻を比較し、自己の電源オン時刻の方が遅い場合、前記第１の印刷装置に対して前記電源オフ受諾応答を送信することを特徴とする請求項５に記載の印刷システム。
【発明の詳細な説明】
【技術分野】
【０００１】
本発明は、省電力モードの設定が可能な複数の印刷装置がネットワークを介して接続された印刷システムに関する。
【背景技術】
【０００２】
今日、地球環境の保持が世界的に叫ばれ、プリンタ装置や複写機等の印刷装置においても、消費電力の削減が要求されている。例えば、消費電力を削減する為、非稼動時の定着器の温度を下げ、スリープモードの設定処理が行われている。この処理は、ある一定時間印刷装置が非稼動である場合、印刷装置への一定範囲の電源供給を停止し、消費電力を抑えるものである。
また、特許文献１は、パーソナルコンピュータ（ＰＣ）とネットワークを介して接続された印刷装置において、スリープモードの設定情報をパーソナルコンピュータに通知することにより、ユーザは何れの印刷装置が使用可能であるか知ることができるシステムを提案する。
【先行技術文献】
【特許文献】
【０００３】
【特許文献１】特開平１０−１８７３７３号公報
【発明の概要】
【発明が解決しようとする課題】
【０００４】
しかしながら、ネットワークを介して複数台の印刷装置が使用されている場合、単体の印刷装置の条件によって自動的に電源がオフされることもあり、またホスト機器のキー操作によって印刷装置の電源がオフさせることもある。したがって、場合によっては、ネットワークに接続された全ての印刷装置の電源がオフされている状態も発生する。かかる場合、緊急に印刷装置の使用が必要な場合、再度印刷装置に電源を投入し、印刷処理が可能になるまで待つ必要があり、素早い印刷出力を行うことができない。
また、上記特許文献１の場合、パーソナルコンピュータ（ＰＣ）上に印刷装置の状態が通知されているので、印刷装置の状態を把握できるが、全ての印刷装置の電源がオフされる場合もあり、このような場合、上記と同様、緊急時には再度印刷装置の電源を投入し、印刷処理が可能になるまで待たなければならない。
【０００５】
そこで、本発明は上記課題に鑑み、複数の印刷装置がネットワークを介して接続されている場合、少なくとも１台の印刷装置には電源が入っている状態に設定する印刷システムを提供するものである。
【課題を解決するための手段】
【０００６】
上記課題は第１の発明によれば、第１の印刷装置と第２の印刷装置がネットワークを介して接続された印刷システムにおいて、前記第１の印刷装置は、該第１の印刷装置のアドレス情報と電源オフ設定時刻の情報を含む電源オフ確認要求を前記第２の印刷装置に送信する送信手段と、前記第２の印刷装置からの電源オフ受諾応答の受信に基づいて、装置の電源をオフする電源オフ処理手段とを有し、前記第２の印刷装置は、前記電源オフ確認要求が入力すると、前記電源オフ設定時刻と自己の電源オフ設定時刻を比較して、自己の電源オフ設定時刻が遅い場合、前記第１の印刷装置に対して前記電源オフ受諾応答を送信する制御手段を有する印刷システムを提供することによって達成できる。
【０００７】
また、第２の発明によれば、前記第１の印刷装置の電源オフ確認要求には、更に最新印刷時刻の情報も含まれ、前記第２の印刷装置は自己の前記電源オフ設定時刻と前記第１の印刷装置の電源オフ設定時刻が同じである場合、自己の最新印刷時刻と前記第１の印刷装置から送信された最新印刷時刻を比較し、自己の最新印刷時刻の方が遅い場合、前記第１の印刷装置に対して前記電源オフ受諾応答を送信する印刷システムを提供することによって達成できる。
【０００８】
また、上記課題は第３の発明によれば、前記第１の印刷装置の電源オフ確認要求には、更に電源オン時刻の情報も含まれ、前記第２の印刷装置は自己の前記最新印刷時刻と前記第１の印刷装置の最新印刷時刻が同じである場合、更に自己の電源オン時刻と前記第１の印刷装置から送信された電源オン時刻を比較し、自己の電源オン時刻の方が遅い場合、前記第１の印刷装置に対して前記電源オフ受諾応答を送信する印刷システムを提供することによって達成できる。
【０００９】
また、上記課題は第４の発明によれば、第１から第ｎの印刷装置がネットワークを介して接続された印刷システムにおいて、前記第１の印刷装置は、該第１の印刷装置のアドレス情報と電源オフ設定時刻の情報を含む電源オフ確認要求を前記第２から第ｎの印刷装置に送信する送信手段と、前記第２から第ｎの印刷装置からの電源オフ受諾応答の受信に基づいて、装置の電源をオフする電源オフ処理手段とを有し、前記第２から第ｎの印刷装置は、前記電源オフ確認要求が入力すると、前記電源オフ設定時刻と自己の電源オフ設定時刻を比較して、自己の電源オフ設定時刻が遅い場合、前記第１の印刷装置に対して前記電源オフ受諾応答を送信する制御手段を有する印刷システムを提供することによって達成できる。
【００１０】
また、上記課題は第５の発明によれば、前記第１の印刷装置の電源オフ確認要求には、更に最新印刷時刻の情報も含まれ、前記第２から第ｎの印刷装置は自己の前記電源オフ設定時刻と前記第１の印刷装置の電源オフ設定時刻が同じである場合、自己の最新印刷時刻と前記第１の印刷装置から送信された最新印刷時刻を比較し、自己の最新印刷時刻の方が遅い場合、前記第１の印刷装置に対して前記電源オフ受諾応答を送信する印刷システムを提供することによって達成できる。
【００１１】
また、上記課題は第６の発明によれば、前記第１の印刷装置の電源オフ確認要求には、更に電源オン時刻の情報も含まれ、前記第２から第ｎの印刷装置は自己の前記最新印刷時刻と前記第１の印刷装置の最新印刷時刻が同じである場合、更に自己の電源オン時刻と前記第１の印刷装置から送信された電源オン時刻を比較し、自己の電源オン時刻の方が遅い場合、前記第１の印刷装置に対して前記電源オフ受諾応答を送信する印刷システムを提供することによって達成できる。
【発明の効果】
【００１２】
本発明によれば、複数の印刷装置がネットワークを介して接続されている場合、少なくとも１台の印刷装置には電源が投入されており、緊急に印刷処理が必要になった場合、迅速な処理を行うことができる。
【図面の簡単な説明】
【００１３】
【図１】ネットワークに接続された本例の印刷装置の構成図である。
【図２】操作パネルの構成を示す図である。
【図３】印刷装置のデータの流れ、及び電源オフ条件の設定の流れを説明する図である。
【図４】他の印刷装置がネットワークに接続された例を説明する図である。
【図５】本実施形態のある印刷装置側の処理を説明するフローチャートである。
【図６】本実施形態の他の印刷装置側の処理を説明するフローチャートである。
【図７】本実施形態の処理を模式的に説明する図である。
【図８】電源オフ受諾コマンドのデータフォーマットを説明する図である。
【図９】電源オフ確認コマンドのデータフォーマットを説明する図である。
【発明を実施するための形態】
【００１４】
以下、本発明の実施の形態を図面に基づいて説明する。
図１は、ネットワークに接続された本例の印刷装置の構成図である。
印刷装置１は、ＬＡＮ（local area network）等のネットワークを介してホスト機器であるパーソナルコンピュータ（ＰＣ）に接続されている。また、ネットワーク上には上記印刷装置１と同じ構成の複数の印刷装置が接続されている。尚、ネットワークに接続された複数の印刷装置１等は、基本的に同じ構成である。したがって、本例で使用する印刷装置を代表して、印刷装置１の内部構成を説明する。
【００１５】
印刷装置１は、インターフェースコントローラ部１ａと、印刷エンジン部１ｂで構成されている。インターフェースコントローラ部１ａは、画像メモリ２、描画部３、送受信制御部４、設定処理部５、時間管理部６、オペレーションパネル制御部（以下、単にパネル制御部で示す）７、印刷制御部８、フラッシュメモリ等の不揮発メモリ９で構成され、パネル制御部７には操作パネル（オペレーションパネル）１０が接続されている。また、印刷制御部８は印刷エンジン部１ｂに接続され、印刷エンジン部１ｂは本例の印刷装置１の電源オフ機能１１を備える。尚、印刷装置１には後述する省電力管理/判定部も配設されている。
【００１６】
印刷装置１は、送受信制御部４を介して供給されるパーソナルコンピュータ（ＰＣ）からの印刷データを描画部３に送り、描画データに変換し、画像メモリ２に書き込む。印刷制御部８は画像メモリ２に書き込まれた描画データを印刷エンジン部１ｂに送信し、印刷エンジン部１ｂの駆動によって用紙（記録媒体）への印刷処理を行う。
【００１７】
図２は上記操作パネル１０の構成を示す図である。操作パネル１０は、ＬＣＤ表示部１４、ＬＥＤ表示部１５、及びキー部１６で構成されている。ＬＣＤ表示部１４及びＬＥＤ表示部１５には印刷装置１の状態表示やキー操作の手順等の情報が表示される。また、キー部１６は不図示のテンキーや、決定キー、方向キー、オンラインキー、電源オフキー等で構成され、ユーザによるキー操作に従ってキー操作信号をパネル制御部７に送信する。また、キー部１６の電源オフキーはソフトウエアで制御され、印刷制御部８を介して後述する電源オフ機能の条件に従って動作する。
【００１８】
以上の構成において、図３は本例で使用する印刷装置１のデータの流れ、及び電源オフ条件の設定の流れを示す。先ず、同図に示す（ａ）はパーソナルコンピュータ（ＰＣ）からの印刷データの流れを示し、パーソナルコンピュータ（ＰＣ）のアプリケーションに従って作成された印刷データは、上記のように送受信制御部４の制御によって描画部３に送信され、描画部３によってコマンド解析され、画像メモリ２に展開される。そして、例えば画像メモリ２に１頁分の描画データが展開されると、印刷制御部８を介して描画データが印刷エンジン部１ｂに転送され、前述のように用紙（記録媒体）への印刷処理が行われる。
【００１９】
次に、同図に示す（ｂ）は電源オフ条件の設定処理の流れを示し、ユーザは操作パネル１０のテンキーや、決定キー、方向キー等を操作し、後述する電源オフの設定時刻等のデータを設定処理部５に供給する。また、同図に示す（ｃ）はパーソナルコンピュータ（ＰＣ）からの電源オフ条件の設定処理の流れを示し、ユーザはパーソナルコンピュータ（ＰＣ）のキーボードやマウスを操作して電源オフの設定時刻等のデータを設定処理部５に供給することもできる。
【００２０】
設定処理部５には上記電源オフ設定時刻や、本例の印刷装置１の電源をオンした電源オン時刻、更に最新の印刷時刻等の情報が入力し、同図（ｄ）に示すように、設定処理部５に入力した上記各種情報は不揮発メモリ９に書き込まれる。
【００２１】
図４は上記構成の印刷装置１に加えて、同様の構成の他の印刷装置２１がネットワークに接続された例を説明する。尚、他の印刷装置２１も印刷装置１と基本的に同じ構成であり、画像メモリや、描画部、送受信制御部、設定処理部、時間管理部、パネル制御部、不揮発メモリ、及び印刷エンジン部等で構成されている。
【００２２】
また、同図の（ｅ）に示すように、パーソナルコンピュータ（ＰＣ）から送信された印刷データが描画部３によってコマンド解析され、画像メモリ２への展開処理が完了した時刻は、時間管理部６によって管理され、この終了時刻の情報も不揮発メモリ９に書き込まれている。
【００２３】
以上の構成において、以下に本例の処理動作を説明する。
図５及び図６は本例の処理動作を説明するフローチャートであり、例えば図５は印刷装置１側の処理を示し、図６は印刷装置２１側の処理を示す。また、図７は上記処理動作を模式的に説明する図である。また、図７には前述の省電力管理/判定部１２の構成を示しており、省電力管理/判定部１２は設定処理部５が不揮発メモリ９から読み出した電源オフ設定時刻（同図の（ｇ））や、時間管理部６から読み出した現在時刻（同図の（ｆ））、他の印刷装置２１からの後述する電源オフ受諾コマンドの入力（同図の（ｈ））、及び描画部３による描画処理終了を示す通知（同図の（ｉ））に基づいて、後述する処理を行う。
【００２４】
先ず、図５に示す印刷装置１側の処理において、電源オフ受諾コマンドを受領済みであるか判断する（ステップ（以下、Ｓで示す）１）。この電源オフ受諾コマンドは、後述する電源オフ確認コマンドの出力に対応して受信するコマンドであり、図８はこのコマンドのフォーマットを示す。例えば、電源オフ受諾コマンドは、例えば送信先アドレス、送信元アドレス、及び電源オフ受諾コマンドで構成されている。尚、送信先アドレスは例えば印刷装置１のネットワーク上のアドレスであり、送信元アドレスは例えば印刷装置２１のネットワーク上のアドレスである。また、電源オフ受諾コマンドは、受信した印刷装置（例えば、印刷装置１）の電源をオフにすることを許諾するコマンドである。
【００２５】
ここで、上記最初の判断（Ｓ１）は、未だ電源オフ確認コマンドを印刷装置１が送信していないことからＮＯである。
次に、印刷装置１は設置時刻を取得する（Ｓ２）。この設定時刻の取得は、前述の処理によって不揮発メモリ９に記憶された電源オフ設定時刻であり、印刷装置１のユーザが印刷装置１の電源をオフする時刻を設定した情報であり、設定処理部５は不揮発メモリ９からこの情報を読み出す。
【００２６】
次に、一定期間アイドル状態であるか判断する（Ｓ３）。この一定期間は、予め設定された期間であり、一定期間アイドル状態であれば、現在時刻の読み取り処理を行う（Ｓ４）。この現在時刻の読み取り処理は、設定処理部５が時間管理部６から現在時刻を読み取ることによって実行する。
【００２７】
次に、時間管理部６から読み取った現在時刻の情報と前述の電源オフ設定時刻とを比較し、現在時刻が電源オフ設定時刻を過ぎていなければ（Ｓ５がＮＯ）、電源オフ設定時刻が現在時刻を過ぎるまで上記処理を繰り返す。その後、電源オフ設定時刻が現在時刻を過ぎると（Ｓ５がＹＥＳ）、最新印刷時刻、及び電源オン時刻の情報を取得する（Ｓ６）。
【００２８】
上記最新印刷時刻、及び電源オン時刻の情報も前述のように、不揮発メモリ９に記憶されており、設定処理部５は上記情報を不揮発メモリ９から取得する。
次に、上記情報に基づいて電源オフ確認コマンドのパケットを生成する（Ｓ７）。図９は電源オフ確認コマンドのパケットファーマットを示す図である。このパケットフォーマットは、ブロードキャストアドレス、送信元アドレス、電源オフ確認コマンド、電源オフ希望時刻、電源オフ設定時刻、電源オン時刻、及び最新印刷時刻の情報で構成されている。
【００２９】
次に、送受信制御部４は設定処理部５によって作成された電源オフ確認コマンドのパケットをネットワークを介して他の印刷装置２１等に送信する（Ｓ８）。そして、電源オフ受諾コマンドの受信を待つ（Ｓ９）。
その後、応答があれば（Ｓ１０がＹＥＳ）、後述する処理を実行するが、応答がない場合（Ｓ１０がＮＯ）、上記送信処理を３回繰り返し（Ｓ１１）、電源オフ受諾コマンドの受信を待つ（Ｓ８〜Ｓ１１）。
【００３０】
また、送信処理を３回繰り返し、電源オフ受諾コマンドの受信が無い場合（Ｓ１１がＹＥＳ）、印刷装置１が電源オフの指示を出すことなく再度設定時刻の取得処理に移行する（Ｓ２）。
【００３１】
一方、ネットワークを介して送信された電源オフ確認コマンドは、ネットワークに接続された他の印刷装置（例えば、印刷装置２１）に受信される。図６は前述のように他の印刷装置２１側の処理を説明するフローチャートであり、電源オフ確認コマンドを受信すると（ステップ（以下、ＳＴで示す）１）、先ず電源オフ受諾応答コマンドを応答しないフラグがオンであるか判断する（ＳＴ２）。
【００３２】
ここで、この最初の判断（ＳＴ２）はＮＯであり、印刷装置２１は受信した電源オフ確認コマンドに含まれる電源オフ要求時刻と電源オフ設定時刻とを比較する（ＳＴ３）。ここで、電源オフ要求時刻は前述の印刷装置１による電源オフ希望時刻であり、異なる場合（ＳＴ４がＹＥＳ）、電源オフ受諾コマンドを送信する（ＳＴ１０）。この場合、例えば印刷装置１側でコマンド処理、又は電源オフキーの操作による電源オフであり、電源オフ受諾コマンドを送信する。
【００３３】
一方、同じである場合（ＳＴ４がＮＯ）、自己の電源オフ設定時刻の情報を印刷装置２１内の不図示の不揮発メモリから取得し（ＳＴ５）、電源オフ確認コマンドに含まれる電源オフ設定時刻と自己の電源オフ設定時刻を比較する（ＳＴ６）。そして、自己の電源オフ設定時刻が印刷装置１からの電源オフ設定時刻より早い場合（ＳＴ６がＹＥＳ）、印刷装置２１における処理を終了する。この場合、自己の印刷装置（例えば、印刷装置２１）の方が早い時刻に電源オフの設定処理が行われる予定であるので電源オフ受諾応答を行うことができず、処理を終了する。
【００３４】
一方、自己の電源オフ設定時刻が印刷装置１からの電源オフ設定時刻より早くない場合（ＳＴ６がＮＯ）、更に自己の電源オフ設定時刻と同じであるかの確認を行い（ＳＴ７）、同じでなければ（ＳＴ７がＮＯ）、電源オフ受諾コマンドを送信する（ＳＴ１０）。この電源オフ受諾コマンドは前述のように、送信先アドレスを含むファーマットであり、ネットワークを介して印刷装置１に送信される。
【００３５】
また、上記判断（ＳＴ７）において、自己の電源オフ設定時刻と電源オフ確認コマンドに含まれる電源オフ設定時刻が同じである場合（ＳＴ７がＹＥＳ）、更に自己の印刷装置２１の最新印刷時刻又は電源オン時刻を取得し（ＳＴ８）、電源オフ確認コマンドに含まれる最新印刷時刻又は電源オン時刻との比較を行う（ＳＴ９）。
【００３６】
具体的には、先ず最新印刷時刻の比較を行い、例えば自己の最新印刷時刻が遅い場合には（ＳＴ９がＹＥＳ）、電源オフ受諾コマンドを送信する（ＳＴ１０）。一方、自己の最新印刷時刻が早い場合には（ＳＴ９がＮＯ）、印刷装置２１における処理を終了する。
【００３７】
また、最新印刷時刻が同じである場合、自己の電源オン時刻が遅い場合には（ＳＴ９がＹＥＳ）、電源オフ受諾コマンドを送信する（ＳＴ１０）。一方、自己の電源オン時刻が早い場合には（ＳＴ９がＮＯ）、印刷装置２１における処理を終了する。
【００３８】
上記処理によってネットワークを介して送信された電源オフ受諾コマンドは印刷装置１の送受信制御部４によって受信され（Ｓ１がＹＥＳ）、印刷装置１では以後電源オフ受諾応答をしないフラグを設定する（Ｓ１２）。そして、アイドル状態であるか判断し（Ｓ１３）、アイドル状態が完了すればネットワーク通信を停止する（Ｓ１４）。
その後、印刷装置１は電源オフの指示を出し、送受信制御部４によって電源オフの制御を行う（Ｓ１５）。
【００３９】
以上のように処理することによって、電源オフ受諾コマンドを送信する場合には、電源オフ受諾コマンドを送信した印刷装置は電源をオフすることなくネットワークに接続されており、他の印刷装置の電源がオフされたとしても、ネットワーク上のパーソナルコンピュータ（ＰＣ）からの印刷指示に対応することができる。したがって、例えば緊急に印刷処理が必要である場合、迅速に要求された印刷出力を行うことができる。
【符号の説明】
【００４０】
１・・・印刷装置
１ａ・・インターフェースコントローラ部
１ｂ・・印刷エンジン部
２・・・画像メモリ
３・・・描画部
４・・・送受信制御部
５・・・設定処理部
６・・・時間管理部
７・・・パネル制御部
８・・・印刷制御部
９・・・不揮発メモリ
１０・・・操作パネル
１１・・電源オフ機能
１２・・省電力管理/判定部
２１・・印刷装置
【図１】
2011025428.tif 000003
【図２】
2011025428.tif 000004
【図３】
2011025428.tif 000005
【図４】
2011025428.tif 000006
【図５】
2011025428.tif 000007
【図６】
2011025428.tif 000008
【図７】
2011025428.tif 000009
【図８】
2011025428.tif 000010
【図９】
2011025428.tif 000011